(57)【要約】【課題】  混合水栓接続用管継手のねじ込み固定作業時の調整を簡便に行うことができる構成とした上で、固定作業の繁雑さを解消すること。また、混合水栓のがたつきを防止し、美観を損ねず、安全性も向上させること。【解決手段】  第１接続部材３０の軸心方向においてスライド可能に設けられたスライド部材５０を設け、スライド部材５０には、筒状円筒部７２に対して、第１接続部材３０の軸心回り方向において常に嵌合する嵌合部５６と、第１接続部材３０に対して、スライド部材５０が押し込まれた位置においてのみ第１接続部材３０の軸心回りにおいて嵌合するセレーション溝５４とを設けた。    【選択図】    図７
2008063838.tif 000002
【特許請求の範囲】
【請求項１】
壁面等に配設される給湯管又は給水管の端末に螺着される配管接続口を備える円筒状の第１接続部材と、
前記第１接続部材の軸心回りに回動可能に取り付けられる筒状円筒部を一端側に備えるとともに前記第１接続部材の軸心に対して偏芯して開口されて混合水栓本体に接続される水栓接続口を他端側に備えた第２接続部材と、が備えられ、内部に湯又は水を流通可能に設けられる混合水栓接続用管継手であって、
前記第１接続部材の軸心方向においてスライド可能に設けられたスライド部材が備えられ、
前記スライド部材には、前記筒状円筒部又は前記第１接続部材の一方に対して、前記第１接続部材の軸心回り方向において常に嵌合する第１嵌合部と、
前記第１接続部材又は前記筒状円筒部の他方に対して、前記スライド部材の特定のスライド位置においてのみ前記第１接続部材の軸心回り方向において嵌合する第２嵌合部とが設けられたことを特徴とする混合水栓接続用管継手。
【請求項２】
前記第２嵌合部が嵌合状態となるスライド位置に前記スライド部材を付勢するばね等の付勢手段を備えたことを特徴とする請求項１に記載の混合水栓接続用管継手。
【請求項３】
前記スライド部材を前記第２接続部材の正面側に配設したことを特徴とする請求項１又は請求項２に記載の混合水栓接続用管継手。  
【請求項４】
前記第２接続部材に止水栓を設けたことを特徴とする請求項１から請求項３のいずれかに記載の混合水栓接続用管継手。
【発明の詳細な説明】
【技術分野】
【０００１】
本発明は、壁面等に配設される給湯管及び給水管の各端末に混合水栓本体を接続するために用いられる混合水栓接続用管継手（いわゆるクランク継手）に関する。
【背景技術】
【０００２】
従来、壁面等に配設される給湯管及び給水管の各端末に混合水栓本体を接続するために混合水栓接続用管継手が用いられている。この種の管継手では、混合水栓本体に管継手を接続するには、管継手の端末へのねじ込み作業が完了した状態で、混合水栓本体の湯側・水側接続部に接続できる位置に管継手の水栓接続口の位置が定められなければならないが、このために管継手の端末へのねじ込み作業をやり直す煩雑さが問題となっていた。このため、下記のような管継手を用いて、端末に対してねじ込み作業が完了した状態で、水栓接続口部の位置を調整可能な管継手が提供されている。
【０００３】
図１２に示すように、この種の管継手１００は、筒状円筒部１０１の内周面後端部と、第１接続部材（管用ねじ）１０２の外周面における筒状円筒部１０１前後移動区域の後端部とに、筒状円筒部１０１を後方に移動させた際に互いに嵌まり合って筒状円筒部１０１の回動を阻止しうる一方、筒状円筒部１０１を前方に移動させた際には互いに前後にずれて筒状円筒部１０１の回動を許容しうる嵌合部１０３が設けられている。したがって、端末に対して第１接続部材１０２のねじ込み作業が完了した後に、筒状円筒部１０１を前方に移動させることにより第１接続部材１０２に対して筒状円筒部１０１のみを回動させて、水栓接続口１０４の位置を調整可能とすることができる（例えば、特許文献１参照。）。
【０００４】
【特許文献１】特許第３５５９０６号公報（図１〜図４）
【発明の開示】
【発明が解決しようとする課題】
【０００５】
ところが、上記した管継手１００では、筒状円筒部１０１自体が前後に移動可能に設けられているために、筒状円筒部１０１が位置決めされた後、水栓本体を水栓接続口１０４に取り付ける際にも、筒状円筒部１０１が前後方向に動いてしまう。このため、水栓本体を水栓接続口１０４に取り付ける際に、水栓本体の給湯側又は給水側の一方を水栓接続口１０４に螺着した後に、残る他方を別の管継手１００の水栓接続口１０４に螺着する際に、混合水栓の前後方向において水栓本体の左右が傾いてしまい、残る他方の水栓接続口１０４のねじが噛んでしまうなど水栓本体の螺着作業が困難になってしまうという欠点があった。
【０００６】
また、上記した管継手１００では、水栓本体を固定設置した後においても、筒状円筒部１０１と共に水栓本体も前後に移動してしまう。このため、水栓本体ががたつきを生じたり、給湯側と給水側の筒状円筒部１０１の前後方向の位置がずれてしまい、水栓本体の左右が前後方向に傾いて、設置後の混合水栓の美観を損ねるおそれがある。さらに、実際に混合水栓を使用する際に、使用者が水栓本体に過って手をついた場合に水栓本体が不意に動いて手を滑らせてしまうなど、混合水栓の安全性にも問題が生じていた。
【０００７】
本発明は上記した従来の混合水栓接続用管継手の問題点を解消するものであり、混合水栓接続用管継手のねじ込み固定作業時の調整を簡便に行うことができる構成とした上で、固定作業の繁雑さを解消することを目的とする。また、混合水栓のがたつきを防止し、美観を損ねず、安全性も向上させることを目的とする。
【課題を解決するための手段】
【０００８】
以上の課題を解決するために、本発明の採った手段を以下に説明する。本発明の混合水栓接続用管継手は、壁面等に配設される給湯管又は給水管の端末に螺着される配管接続口を備える円筒状の第１接続部材と、前記第１接続部材の軸心回りに回動可能に取り付けられる筒状円筒部を一端側に備えるとともに前記第１接続部材の軸心に対して偏芯して開口されて混合水栓本体に接続される水栓接続口を他端側に備えた第２接続部材と、が備えられ、内部に湯又は水を流通可能に設けられる混合水栓用管継手であって、前記第１接続部材の軸心方向においてスライド可能に設けられたスライド部材が備えられ、前記スライド部材には、前記筒状円筒部又は前記第１接続部材の一方に対して、前記第１接続部材の軸心回り方向において常に嵌合する第１嵌合部と、前記第１接続部材又は前記筒状円筒部の他方に対して、前記スライド部材の特定のスライド位置においてのみ前記第１接続部材の軸心回り方向において嵌合する第２嵌合部とが設けられたことを特徴とする混合水栓用管継手（請求項１）である。
【０００９】
このように、第１接続部材の軸心回りに回動可能な第２接続部材とする一方、第１接続部材の軸心回りに常に嵌合する第１嵌合部と、スライド部材が特定のスライド位置にある場合にのみ嵌合する第２嵌合部とを設けて、第１接続部材及び第２接続部材とは別途のスライド部材をスライドさせることにより、第１接続部材に対する第２接続部材の回動を許可又は規制することができる。よって、水栓本体の接続固定作業時や水栓本体設置後に、第２接続部材及びこれに固定される水栓本体が前後方向にスライドしてしまうことはない。また、このような回動調整を、スライド部材を取り付けること及び嵌合部を設けることという簡単な手段で実現することができる。
【００１０】
前記したように、第１嵌合部は、筒状円筒部又は第１接続部材のいずれか一方に、第２嵌合部は、他方に設ければ良い。第１嵌合部としては、例えば、第１接続部材の軸心方向に沿って形成され、筒状円筒部又は第１接続部材に対し嵌合される突条等を例示できる。突条の横断面形状は、両部材が嵌合することが可能であれば特に限定はされないが、例えば、横断面形状が、歯車状、三角形状、多角形状、菱形形状、扇形形状などを例示できる。第１嵌合部は、スライド部材がスライドされる全範囲に渡って嵌合する長さ・形状に設けられる。第２嵌合部としては、例えば、第１接続部材の軸心方向に沿って第１接続部材又は筒状円筒部に刻設されたセレーション溝に嵌合するようにスライド部材に刻設されたセレーション溝を例示できる。第２嵌合部は、スライド部材がスライドされる全範囲のうち、特定のスライド位置においてのみ嵌合する長さ・形状に設けられる。第２嵌合部が嵌合する特定のスライド位置については、特に限定はされない。
【００１１】
また上記した混合水栓接続用管継手において、第２嵌合部が嵌合状態となるスライド位置に前記スライド部材を付勢するばね等の付勢手段を備えるものとしても良い（請求項２）。
【００１２】
このような付勢手段を設けることにより、必要な場合にのみ付勢力に抗して第２嵌合部が解除される位置にスライド部材をスライドさせて第２接続部材の回動調整を可能とし、一方、通常時には第２接続部材の回動を規制しておくことができる。
【００１３】
また上記した混合水栓接続用管継手において、前記スライド部材を前記第２接続部材の正面側に配設するものとしても良い（請求項３）。
【００１４】
このように、正面側にスライド部材を配設することによりスライド部材の操作を容易に行うことができるので、第２接続部材の回動調整及び水栓本体への接続作業をより容易に行うことができる。
【００１５】
また上記した混合水栓接続用管継手において、第２接続部材に止水栓を設けることとしても良い（請求項４）。
【００１６】
混合水栓接続用管継手には、止水栓を備えたものが知られており、通常、これは第１接続部材に配設されることが多いが、本混合水栓接続用管継手では、第２接続部材に止水栓を配設することにより、第２接続部材の回動調節を可能にしつつ、止水機能も備えることができる。
【発明の効果】
【００１７】
本発明の混合水栓接続用管継手は上記のようなスライド部材及び嵌合部を設けることにより、第２接続部材の回動調節を可能にする一方、第２接続部材及びこれに固定される水栓本体が前後方向にスライドすることがないので、水栓本体の接続固定作業の煩雑さを解消できる。また、設置後の水栓本体等のがたつきを防止することができ、水栓本体が傾むいて美観を損ねることもない。また、使用時に水栓本体が動いてしまわないので安全性も向上させることができる。また、簡単な構造でこのような目的を達することができるのでコストダウンを図ることもできる。
【００１８】
また、請求項２に記載の混合水栓接続用管継手では、これに加えて、通常時には第２接続部材の回動を規制しておくことができるので、管継手の接続作業時に不意に第２接続部材が回動してしまうおそれを少なくすることができ、接続作業のより一層の効率化を図ることができる。また、請求項３に記載の混合水栓接続用管継手では、さらに、水栓本体への接続作業をより容易に行うことができる。また、請求項４に記載の混合水栓接続用管継手では、さらに、止水機能も合わせて実現することができる。
【発明を実施するための最良の形態】
【００１９】
次に、本発明の混合水栓接続用管継手の実施の形態を図を参考にして詳細に説明する。図１に示すように、本発明の混合水栓接続用管継手２０は、壁面１に混合水栓２の水栓本体３を固定するとともに、壁面１裏側に引き回されて壁面１の取付孔（図示省略）に配設される給湯管・給水管の端末（図示省略）に水栓本体３を接続し、湯又は水を水栓本体３にそれぞれ供給するものである。図２（ａ）及び図３にも示すように、本発明の混合水栓接続用管継手２０には、給湯管又は給水管にねじ込まれる細長のほぼ円筒形状の第１接続部材３０と、この第１接続部材３０の軸心回りに３６０度回動可能に取り付けられた第２接続部材７０とが備えられている。
【００２０】
第１接続部材３０は、図２（ａ）及び図３に示すように、細長のほぼ円筒形状に形成されており、基端側には、端末にねじ込まれる雄ねじ部３２が備えられ、先端側には、後述するスライド部材５０が嵌合取り付けされるセレーション部３４が備えられている。雄ねじ部３２には配管接続口３１が設けられている。また、雄ねじ部３２よりもセレーション部３４寄りの外周面には、フランジ部３６が周設されている。フランジ部３６は、第２接続部材７０の筒状円筒部７２の後端部７４の内径よりも僅かに小径の外径に形成されており、その中央付近には、後端部７４の内周面との水密を図るＯリング３７が取り付けられている。
【００２１】
また、フランジ部３６よりも先端側側部の対向する位置には、雄ねじ部３２内の流路３３に連通する一対の開口部４０が設けられている。この開口部４０は、後述する第２接続部材７０が取り付けられた状態では、その流路７６に連通される位置に設けられている。また、この開口部４０よりも先端側の外周面にはフランジ４２が周設されている。フランジ４２は、筒状円筒部７２の係止円孔部８１よりも若干大径に形成されており、このフランジ４２が係止円孔部８１に当接されて第１接続部材３０が筒状円筒部７２の先端部７８方向への移動することを規制している。また、このフランジ４２が係止円孔部８１により規制された状態において筒状円筒部７２の後端部７４内周面の前記したフランジ部３６の基端側端面の位置する部位に、止め輪２２が嵌着される周溝８０が形成されており、これらの係止円孔部８１と止め輪２２とにより、筒状円筒部７２内に挿入された第１接続部材３０は筒状円筒部７２内に抜け止めされる。そして、端末にねじ込まれた第１接続部材３０に対して、第２接続部材７０は、その筒状円筒部７２を中心として回動可能に取り付けられると共に、第１接続部材３０の軸心方向においては移動を規制される。
【００２２】
フランジ４２よりも先端側の第１接続部材３０外周面には、係止円孔部８１内周面との水密を図るＯリング３７が取り付けられている。さらに、第１接続部材３０の先端側には、小径部４４が形成されており、小径部４４の基端側段部４６と、後述するスライド部材５０の基端側端面との間の小径部４４回りにスプリング２４が取着されている。そして、図４に示すように、小径部４４よりも先端側には第１接続部材３０の軸心方向に沿ってセレーション溝３５が刻設されたセレーション部３４が設けられている。また、セレーション部３４内周面には止めふた２６が螺着される雌ねじが設けられている。
【００２３】
次いで、スライド部材５０について説明する。図２（ａ）及び図５に示すように、スライド部材５０は先端側外周面にフランジ５２が備えられたほぼ円筒状に形成されている。また、基端側内周面には、第１接続部材３０のセレーション部３４と嵌合可能なセレーション溝５４が刻設されたセレーション部５３が設けられている。このセレーション溝５４が本発明に言う「第２嵌合部」の一例である。そして、基端側外周面の軸心を挟んで対向する位置には、軸心方向から見て扇状に形成された一対の嵌合部５６が設けられている。この嵌合部５６が本発明に言う「第１嵌合部」の一例である。
【００２４】
そして、このスライド部材５０が、スプリング２４を介して、止めふた２６により第１接続部材３０のセレーション部３４にスライド可能に嵌合取り付けされている。止めふた２６は、前記したようにセレーション部３４内周面の雌ねじに螺着されると共に、そのフランジ２７がスライド部材５０のセレーション溝５４の端面に当接して、第１接続部材３０からのスライド部材５０の抜脱を規制している。また、スライド部材５０は、スプリング２４により、第１接続部材３０の先端側に付勢されている。そして、フランジ５２に嵌着する円形突条２９が形成された有底円筒状のキャップ２８がスライド部材５０に取り付けられている。
【００２５】
次いで、第２接続部材７０について説明する。図２（ａ）及び図３に示すように、第２接続部材７０には、筒状円筒部７２と、この筒状円筒部７２と直交方向に連設される接続管部８２と、接続管部８２の先端付近において、接続管部８２の直交方向であって筒状円筒部７２の軸心方向と平行に開口された水栓接続口８４が設けられている。筒状円筒部７２には、前記したように、先端部７８及び後端部７４が開口されて、内部に第１接続部材３０が挿通固定されている。接続管部８２が連設された部位の筒状円筒部７２の部位には、筒状円筒部７２が回動されても、第１接続部材３０の開口部４０から流出される湯又は水が流入可能な流入室８６が形成されている。流入室８６は、接続管部８２の流路７６に向けて開口されており、流入室８６からの湯又は水は流路７６に流入される。
【００２６】
図２（ａ）及び図３に示すように、先端部７８の先端側内周面は、スライド部材５０外周面より僅かに大径に形成されるとともに、スライド部材５０の嵌合部５６が嵌合する一対の嵌合部７９が奥端側にかけて凹設されている。
【００２７】
接続管部８２の先端側の開口部８８内には、止水栓９０が取り付けられている。接続管部８２の先端側には、止水栓９０調節用のスピンドル９２が露呈されており、このスピンドル９２を回動調節することにより、メンテナンス時等において水栓本体３側への湯又は水の供給を停止させることができる。また、止水栓９０には、ストレーナー９４が取り付けられている。そして、水栓接続口８４に、接続金具９６及びナット９８を介して、水栓本体３から突設される湯側又は水側の接続部（図示省略）が螺着される。
【００２８】
次いで、この混合水栓接続用管継手２０の作用について説明する。まず、第１接続部材３０の雄ねじ部３２にシールテープ（図示省略）を巻き付けるなどして、端末にねじ込む。シールテープの巻き付け具合などによって、雄ねじ部３２のねじ込み量は区々となるので、ねじ込みが完了した時点で、第２接続部材７０の位置は、水栓本体３を接続するのに適した位置に定まっていることは少ない。ここで、スライド部材５０が押し込まれていない状態では、図２（ａ）、図６及び図８に示すように、スプリング２４によって第１接続部材３０の正面側に付勢されているスライド部材５０のセレーション溝５４は、第１接続部材３０のセレーション部３４のセレーション溝３５に嵌合しており、よって、スライド部材５０の嵌合部５６に嵌合部７９が嵌合している第２接続部材７０は、第１接続部材３０の軸心回りの回動を規制されている。
【００２９】
これに対して、図７に示すように、スプリング２４の付勢力に抗して図２（ｂ）の矢印方向にキャップ２８を押し込むと、スライド部材５０が第１接続部材３０基端側にスライドされてセレーション部５３が第１接続部材３０の小径部４４に至ると共に、セレーション溝５４がセレーション溝３５から外れる。したがって、この状態では、嵌合部５６によりスライド部材５０に嵌合された筒状円筒部７２は、第１接続部材３０に対して、スライド部材５０と共に第１接続部材３０の軸心回りに回動可能となる。この状態で、第２接続部材７０の回動調節を行い、適宜の位置でキャップ２８を開放するとスライド部材５０がスプリング２４の付勢力により第１接続部材３０の先端方向に復帰し、再びセレーション溝３５、５４が嵌合して、その位置において第２接続部材７０の回動が規制される。そして、このように第２接続部材７０の位置決めをして、水栓接続口８４に水栓本体３の接続部を接続固定することができる。
【００３０】
このように、第２接続部材７０は、スライド部材５０の操作によって回動を許可又は規制されるが、いずれの場合においても、第１接続部材３０の軸心方向において移動されることはない。よって、水栓本体３の接続作業時においては、第２接続部材７０が第１接続部材３０の軸心方向に動いてしまって作業が困難になることはない。また、水栓本体３を第２接続部材７０に固定した後においても、第２接続部材７０は固定されているので、第１接続部材３０の軸心方向において、水栓本体３ががたつきを生じたり動いてしまうことはない。
【００３１】
本発明は上記した実施の形態に限られるものではなく、本発明の趣旨の範囲内で種々の変更が可能である。例えば、第１嵌合部や第２嵌合部は、上記した横断面形状に限らず、他の形状とすることもできる。例えば、三角形状、多角形状、菱形形状などとすることもできる。また、その数も限定されない。また、例えば、第１嵌合部については、スライド部材の外周断面形状を非真円形状とすることによって、嵌合部とすることもできる。しかしながら、第２嵌合部については、スライド部材軸心回りの等間隔に同一形状の嵌合部を複数個以上設けることにより、特定間隔で回動調整を可能とすることができ、第２接続部材の間隔調整の利便性が向上する。特に、前記した混合水栓接続用管継手２０のように、一定以下の細かい間隔で刻設されたセレーション溝５４とすることにより、第２接続部材５０を等間隔で微調整することが可能となるので好適である。
【００３２】
また、前記した実施の形態とは逆に、スライド部材５０を第１接続部材３０基端側に向けて付勢しておくとともに、第１接続部材３０先端側に向けてスライド部材５０を引っ張るようにして移動させると第２嵌合部の嵌合が外れるように設けることもできる。
【００３３】
また、第１嵌合部及び第２嵌合部が設けられる部材やその形状は、前記した混合水栓接続用管継手２０の例に限定されない。例えば、図９に示すように、スライド部材５０側に凹設される嵌合部５７を設けることとしても良い。また、図１０に示すように、第２嵌合部の一例であるセレーション溝５４をスライド部材５０の外周面に刻設し、筒状円筒部７２の内周面にこのセレーション溝５４と嵌合するセレーション溝５８を刻設すると共に、第１嵌合部の一例である嵌合部５９をスライド部材内周面に設け、第１接続部材３０の外周面にこの嵌合部５９と嵌合する嵌合部３９を設けることとしても良い。この場合においては、スライド部材５０をスライドさせてセレーション溝５４とセレーション溝５８との嵌合を解除すると、嵌合部５９と嵌合部３９との嵌合により第１接続部材３０の軸心回りの回動を規制されている第１接続部材３０及びスライド部材５０に対して、筒状円筒部７２の回動が可能となる。また、図１０の例においても第１嵌合部の設けられる部材やその形状は限定されず、例えば、図１１に示すように、第１接続部材３０側に凹設される嵌合部３８を設けることとしても良い。また、第１嵌合部および第２嵌合部ともにセレーション溝としてもよいし、凹設される嵌合部や突条等としてもよい。
【図面の簡単な説明】
【００３４】
【図１】本発明の混合水栓接続用管継手を用いた混合水栓の分解斜視図である。
【図２（ａ）】混合水栓接続用管継手の縦断面図である。
【図２（ｂ）】スライド部材を押し込んだ状態の混合水栓接続用管継手の縦断面図である。
【図３】混合水栓接続用管継手の分解斜視図である。
【図４】第１接続部材のセレーション部の横断面図である。
【図５】スライド部材の背面図である。
【図６】第２嵌合部が嵌合された状態の混合水栓接続用管継手の一部破断面斜視図である。
【図７】第２嵌合部の嵌合が解除された状態の混合水栓接続用管継手の一部破断面斜視図である。
【図８】図２（ａ）のＡ−Ａ’端面図である。
【図９】別の例における図２（ａ）のＡ−Ａ’端面図である。
【図１０】さらに別の例における図２（ａ）のＡ−Ａ’端面図である。
【図１１】さらに別の例における図２（ａ）のＡ−Ａ’端面図である。
【図１２】従来の混合水栓接続用管継手の縦断面図である。
【符号の説明】
【００３５】
１；壁面、２；混合水栓、３；水栓本体、２０；混合水栓接続用管継手、２２；止め輪、２４；スプリング、２６；止めふた、２７；フランジ、２８；キャップ、３０；第１接続部材、３１；配管接続口、３２；雄ねじ部、３３；流路、３４；セレーション部、３５；セレーション溝、３６；フランジ部、３７；Ｏリング、３８，３９；嵌合部、４０；開口部、４２；フランジ、４４；小径部、４６；基端側段部、５０；スライド部材、５２；フランジ、５３；セレーション部、５４；セレーション溝、５６，５７；嵌合部、５８；セレーション溝、５９；嵌合部、７０；第２接続部材、７２；筒状円筒部、７４；後端部、７６；流路、７８；先端部、７９；嵌合部、８０；周溝、８１；係止円孔部、８２；接続管部、８４；水栓接続口、８６；流入室、８８；開口部、９０；止水栓、９２；スピンドル、９４；ストレーナー、９６；接続金具、９８；ナット、１００；管継手、１０１；筒状円筒部、１０２；第１接続部材、１０３；嵌合部、１０４；水栓接続口。
【図１】
2008063838.tif 000003
【図２（ａ）】
2008063838.tif 000004
【図２（ｂ）】
2008063838.tif 000005
【図３】
2008063838.tif 000006
【図４】
2008063838.tif 000007
【図５】
2008063838.tif 000008
【図６】
2008063838.tif 000009
【図７】
2008063838.tif 000010
【図８】
2008063838.tif 000011
【図９】
2008063838.tif 000012
【図１０】
2008063838.tif 000013
【図１１】
2008063838.tif 000014
【図１２】
2008063838.tif 000015